(57)【特許請求の範囲】
【請求項１】
モータを収容したハウジングに、前記モータに電源を供給するバッテリーパックを着脱可能に備えると共に、前記モータの駆動で動作する工具を備えた充電式電動工具であって、
前記ハウジングには、前記モータの前記駆動の開始を待つ待機状態に設定可能な待機スイッチと、前記待機状態から前記モータを駆動状態にして該駆動状態を維持可能なロックオンスイッチと、が配置されると共に、前記ハウジングに把持領域が形成され、該把持領域に、前記待機スイッチと前記ロックオンスイッチとが上下方向に並べて配置されることを特徴とする充電式電動工具。
【請求項２】
前記待機スイッチによって前記待機状態に設定されていることを報知する報知手段を設けたことを特徴とする請求項１に記載の充電式電動工具。
【請求項３】
前記待機スイッチによって前記待機状態に設定されてから所定時間が経過した後に、前記待機状態を解除するように制御する制御手段を設けたことを特徴とする請求項１又は２に記載の充電式電動工具。
【発明の詳細な説明】
【技術分野】
【０００１】
この発明は、モータを収容したハウジングに、前記モータに電源を供給するバッテリーパックを着脱可能に備えると共に、前記モータの駆動で動作する工具を備えた充電式電動工具に関する。
【背景技術】
【０００２】
一般に充電式電動工具では、ハウジング等にバッテリーパックを装着した状態でモータに電源を供給することが可能になる。そして充電式電動工具では、運搬時に誤ってスイッチがオン状態になることを防いだり、ハウジング等にバッテリーパックを装着した際に誤ってモータに電源が供給されることを防ぐことができて、モータを駆動させないロックオフ状態を保つロックオフ機構が装備されている。
例えば非特許文献１には、モータを収容したハウジングに、モータに電源を供給するバッテリーパックを着脱可能として、前記ハウジングの前方に、モータの駆動で往復動するロッドを下向きに突出させて、ロッドの下端に連結した切断刃で、被切断材を切断する充電式ジグソーが開示されている。非特許文献１に記載の充電式ジグソーでは、前記ハウジングの前部と後部との間に延設されたハンドルに、バッテリーパックからモータに電源を供給する状態と供給しない状態とに切替可能なトリガを有するスイッチが収容されている。この充電式ジグソーでは、操作者がハンドルを握りながらトリガをハンドル内に押し込むと、前記スイッチがオン状態になってモータが駆動される。これに伴って切断刃が往復動して被切断材を切断できる。
【先行技術文献】
【特許文献】
【０００３】
【非特許文献１】総合カタログ／株式会社マキタ、２０１２年１月、ｐ５７、［２０１２年４月１６日検索］、<URL:http://www.makita.co.jp/product/ecatalog/sougou/index.html#56>
【発明の概要】
【発明が解決しようとする課題】
【０００４】
しかしながら、上記の充電式ジグソーに代表される充電式電動工具では、被切断材を切断する作業時には、工具の一例である切断刃を往復動させるためにモータへ電源を供給し続ける必要がある。そのために被切断材を切断する作業を行う間は、操作者は、握ることが可能なハンドルに収容されたスイッチのトリガを、ハンドル内に押し込む操作を継続しなければならなかった。このような場合には、操作者にとって、トリガをハンドル内に押し込む操作が負担になることに伴い、工具によって被切断材のような被加工材を加工する作業がし辛くなるという不都合があった。
【０００５】
この発明は、このような状況に鑑み提案されたものであって、ロックオフ状態を保つことが可能であることに加え、操作者の負担を軽減し、被加工材を加工する作業をし易くした充電式電動工具を提供することを目的とする。
【課題を解決するための手段】
【０００６】
請求項１の発明に係る充電式電動工具は、モータを収容したハウジングに、前記モータに電源を供給するバッテリーパックを着脱可能に備えると共に、前記モータの駆動で動作する工具を備えた充電式電動工具であって、前記ハウジングには、前記モータの前記駆動の開始を待つ待機状態に設定可能な待機スイッチと、前記待機状態から前記モータを駆動状態にして該駆動状態を維持可能なロックオンスイッチと、が配置されると共に、前記ハウジングに把持領域が形成され、該把持領域に、前記待機スイッチと前記ロックオンスイッチとが上下方向に並べて配置されることを特徴とする。なお把持領域には、操作者が直接把持する領域に加えて操作者の指が届く範囲を含むものとする。
【０００８】
請求項２の発明は、請求項１において、前記待機スイッチによって前記待機状態に設定されていることを報知する報知手段を設けたことを特徴とする。
【０００９】
請求項３の発明は、請求項１又は２において、前記待機スイッチによって前記待機状態に設定されてから所定時間が経過した後に、前記待機状態を解除するように制御する制御手段を設けたことを特徴とする。
【発明の効果】
【００１０】
請求項１の発明に係る充電式電動工具によれば、工具で被加工材を加工する前においては、待機スイッチを操作するまではロックオフ状態を保つことができる。したがって、待機スイッチを設けることでロックオフ機構と同等の働きをさせることできる。加えて、待機スイッチを操作して待機状態に設定した後に、ロックオンスイッチを操作することで、待機状態からモータの駆動状態を維持するように移行させることができる。よって、前記駆動状態を維持するためにスイッチを操作し続ける必要がなく、該駆動状態を維持するための操作者の負担を軽減できる。これに伴って、工具で被加工材を加工する作業がし易くなる。
また、操作者は、把持領域を把持したままの状態で、待機スイッチとロックオンスイッチとの操作が可能になる。したがって、待機スイッチとロックオンスイッチとの操作性を向上させることができる。
請求項２の発明によれば、操作者に、報知手段によって待機状態に設定されていることを容易に認識させることができる。
請求項３の発明によれば、待機スイッチによって、一度待機状態に設定した場合でも、待機状態に設定されてから所定時間の経過後は、制御手段で前記待機状態を解除できる。したがって、待機状態が維持され続けることを防止できる。
【図面の簡単な説明】
【００１１】
【図１】本発明の実施形態１の充電式ジグソーの全体斜視図である。
【図２】同充電式ジグソーの左側面図である。
【図３】同充電式ジグソーの右側面図である。
【図４】本発明の実施形態２の充電式ジグソーの全体斜視図である。
【発明を実施するための形態】
【００１２】
＜実施形態１＞
本発明の実施形態１を図１ないし図３を参照しつつ説明する。図示するように充電式ジグソー１は、ハウジング２と、ブレード３と、ベース４とを備えている。この充電式ジグソー１は本発明の充電式電動工具の一例である。図２に示すようにハウジング２は、前部５を後方側（図２の右側）よりも上方へ突出させた側面視Ｌ字状となるように形成されている。ハウジング２の中央部にはモータＭが収容されて、ハウジング２の後部（図２の右側）の下面には、バッテリーパック６が着脱可能に装着される。このバッテリーパック６は、後述するロックオンスイッチ１６（図２参照。）のオン状態でモータＭに電源を供給する。加えてハウジング２には制御装置７が収容されている。バッテリーパック６には、後述の待機スイッチ１５（図２参照。）を介して制御装置７に電源を供給可能なリード線（図示せず。）が接続されている。
【００１３】
一方前部５には往復動機構が収容されている。モータＭの回転は、ギヤを介して往復動機構に伝達される。さらに前部５の内部には、ロッド（図示せず。）が上下動可能に支持されている。前記往復動機構は、モータＭの回転をロッドの上下方向Ｙ（図２及び図３参照。）の往復動に変換する。ロッドの下端部はハウジング２の外部に位置し、この下端部にはブレード取付部８（図２及び図３参照。）が設けられている。加えて前部５内の前側下方には、発光ダイオード（ＬＥＤ）９が保持されている。ＬＥＤ９が前部５内に保持された状態では、ＬＥＤ９の発光部は、前部５の下面の開口を通じて下方に向けられている。
【００１４】
ブレード３は、図１ないし図３に示すように直線状の形状を有しブレード取付部８に固定されている。なおブレード３は本発明の工具の一例である。ベース４は、前部５の下面に固定されている。このベース４は、被切断材Ｗ（図２及び図３参照。）の上面に当接させるために用いられる。
【００１５】
前部５は、図２及び図３に示すようにモータＭの前方に当たる位置にあり、充電式ジグソー１を操作する際に操作者に把持される。以下に説明する前部５の左側面とは図１中の奥側の前部５の側面を指し、前部５の右側面とは図１中の手前側の前部５の側面を指すものとする。
【００１６】
図１ないし図３に示すように前部５の外面には、該前部５の左右の両側面におけるロッドの延長線上よりも後方側から背面にかけて滑り止め部１０が形成されている。この滑り止め部１０には、窪み１１が複数設けられている。これにより、前部５の把持性能が向上し、操作者は前部５を安定して把持できる。
【００１７】
さらに図２及び図３に示すように、前部５の左右の両側面におけるロッドの延長線上に、待機スイッチ１５とロックオンスイッチ１６とが同一線上で上下二段に配置されている。ここでは待機スイッチ１５を上段に、ロックオンスイッチ１６を下段にそれぞれ配置した。加えて前部５の左側面の待機スイッチ１５と右側面の待機スイッチ１５とは、ハウジング２の左右方向Ｘ（図１参照。）で対称な位置に配置されている。さらに前記左側面のロックオンスイッチ１６と前記右側面のロックオンスイッチ１６とは、前記左右方向Ｘで対称な位置に配置されている。前部５の右側面に配置された待機スイッチ１５及びロックオンスイッチ１６については、操作者が右手で滑り止め部１０を把持した状態で、右手の人差し指で押圧操作可能とされている。また、前部５の左側面に配置された待機スイッチ１５及びロックオンスイッチ１６については、操作者が左手で滑り止め部１０を把持した状態で、左手の人差し指で押圧操作可能とされている。なお、前部５の左右の両側面から背面にかけての領域は本発明の把持領域の一例である。
【００１８】
待機スイッチ１５は、押圧スイッチで構成されて、押圧操作によって所定のストローク量だけ移動可能な押圧片を有している。待機スイッチ１５の押圧片を一度押圧操作することで待機スイッチ１５はオン状態になる。待機スイッチ１５がオン状態になることで、充電式ジグソー１は、休止状態からモータＭの駆動の開始を待つ待機状態へ移行する。待機状態では、バッテリーパック６から制御装置７に電源が供給される。このとき制御装置７は、ＬＥＤ９を発光させる制御を行う。
【００１９】
一方ロックオンスイッチ１６も、待機スイッチ１５と同様に押圧スイッチで構成されている。ロックオンスイッチ１６の押圧片を一度押圧操作することでロックオンスイッチ１６はオン状態になる。待機スイッチ１５がオン状態のときにロックオンスイッチ１６をオン状態にすることで、バッテリーパック６からモータＭに電源を供給する状態が維持される。その結果充電式ジグソー１は、前記待機状態からモータＭを駆動させてこの駆動を維持する状態へ移行する。
【００２０】
次に本実施形態の充電式ジグソー１の動作を説明する。ここでは、操作者が右手で滑り止め部１０を把持して充電式ジグソー１を操作する例を説明する。操作者が、ベース４を被切断材Ｗの上面に当接させて、滑り止め部１０を把持した状態で右手の人差し指により前部５の右側面の待機スイッチ１５の押圧片を一度押圧操作する。すると、充電式ジグソー１は待機状態になって、制御装置７がＬＥＤ９を発光させる。これによりＬＥＤ９が放つ光が、前部５の下面の開口を通じて被切断材Ｗ上に照射される。したがって、操作者は被切断材Ｗ上に光が照射されていることを目視で確認することで、待機状態に設定されていることを認識できる。なおＬＥＤ９は、本発明の報知手段の一例であり、ブレード３で被切断材Ｗを切断する位置に光を照射して該位置を見易くする照明体を兼用する。
【００２１】
続いて操作者が、滑り止め部１０を把持したままの状態で、右手の人差し指で前記右側面のロックオンスイッチ１６の押圧片を一度押圧操作する。これにより、バッテリーパック６からモータＭに電源が供給される状態が維持される結果、前記待機状態からモータＭの駆動を維持する状態に移行する。これに伴って往復動機構が動作すると、前記ロッドと共にブレード３が上下方向Ｙに往復動して被切断材Ｗを切断する。本実施形態では、被切断材の切断作業時には、ロックオンスイッチ１６の押圧片を一度押圧操作するだけでよく、モータＭの駆動状態を維持するために、スイッチの押圧操作を継続する必要がない。
【００２２】
そして切断作業が終了した後に操作者が、待機スイッチ１５又はロックオンスイッチ１６のどちらか一方の押圧片を一度押圧操作すると、制御装置７は、バッテリーパック６から該制御装置７への電源の供給やモータＭへの電源の供給をそれぞれ停止する制御を行って、充電式ジグソー１を休止状態に復帰させる。
なお、制御装置７は、該制御装置７に接続されたタイマで、前記待機状態に設定されてからロックオンスイッチ１６が押圧操作されることなく所定時間が経過してタイマの設定時間が零になったことを検知すると、待機スイッチ１５をオフ状態にする制御を行う。これに伴って、待機状態が解除されて休止状態に復帰する。なお制御装置７は本発明の制御手段の一例である。
【００２３】
また、操作者が左手で滑り止め部１０を把持して充電式ジグソー１を操作する場合にも、操作者は、滑り止め部１０を把持したままの状態で、左手の人差し指で前部５の左側面の待機スイッチ１５やロックオンスイッチ１６を押圧操作することが可能になる。加えて、操作者が左手で滑り止め部１０を把持して充電式ジグソー１を操作する場合にも、被切断材の切断作業時には、左手の人差し指でロックオンスイッチ１６の押圧片を一度押圧操作するだけでよく、モータＭの駆動状態を維持するために、スイッチの押圧操作を継続する必要がない。さらに加えて制御装置７は、切断作業の終了後に左側面の待機スイッチ１５又はロックオンスイッチ１６のどちらか一方の押圧片を一度押圧操作すると、充電式ジグソー１を休止状態に復帰させる。
なお、制御装置７は、前記左側面の待機スイッチ１５を操作して待機状態に設定されてから前記左側面のロックオンスイッチ１６が押圧操作されることなく所定時間が経過した場合に待機状態を解除する。
【００２４】
その上本実施形態では、前部５の左側面の待機スイッチ１５と右側面の待機スイッチ１５とを、ハウジング２の左右方向Ｘで対称な位置に配置し、前記左側面のロックオンスイッチ１６と前記右側面のロックオンスイッチ１６とを、前記左右方向Ｘで対称な位置に配置した。このため操作者は、左右どちらの手で滑り止め部１０を把持する場合にも、左側面の各スイッチ１５、１６と右側面の各スイッチ１５、１６とを同じように操作することが可能になる。
【００２５】
＜本実施形態１の効果＞
本実施形態の充電式ジグソー１では、ブレード３で被切断材Ｗを切断する前においては、待機スイッチ１５を押圧操作するまではロックオフ状態が保たれる。したがって、待機スイッチ１５を設けることでロックオフ機構と同等の働きをさせることできる。
加えて、待機スイッチ１５の押圧片を一度押圧操作して待機状態に設定した後に、ロックオンスイッチ１６の押圧片を一度押圧操作することで、待機状態からモータＭの駆動を維持する状態に移行できる。よって、モータＭの駆動を維持するためにスイッチの押圧操作を継続する必要がなく、モータＭの駆動を維持するための操作者の負担を軽減できる。これに伴って、ブレード３で被切断材Ｗを切断する作業がし易くなる。
【００２６】
また操作者は、ハウジング２の滑り止め部１０を把持したままの状態で、待機スイッチ１５とロックオンスイッチ１６との押圧操作が可能になる。したがって、待機スイッチ１５とロックオンスイッチ１６との操作性を向上させることができる。
【００２７】
さらに、待機状態では制御装置７によってＬＥＤ９が発光するように制御されるため、ＬＥＤ９が放つ光によって、操作者は、待機状態に設定されていることを容易に認識できる。
【００２８】
加えて制御装置７は、待機状態に設定されてから所定時間が経過した後に、待機状態を解除する制御を行うため、待機スイッチ１５で一度待機状態に設定した場合でも、待機状態に設定されてから所定時間の経過後は、制御装置７で待機状態を解除できる。したがって、待機状態が維持され続けることを防止できる。
【００２９】
＜実施形態２＞
本発明の実施形態２を図４を参照しつつ説明する。ここでは実施形態１と同一の構成は同一の符号を付しその説明を省略する。本実施形態の充電式ジグソー１Ａは、ハウジング２Ａの前部５と後端（図４の右側）との間に延設されたハンドル２０を備えている。図４に示すようにハンドル２０は、前記後端と一体とされて該後端から上方へ延びた後に前部５に向けて緩やかに上り傾斜して該前部５の背面と一体にされている。ハンドル２０は、充電式ジグソー１Ａを操作する際に操作者に把持される。バッテリーパック６は、ハウジング２Ａの後端面及びハンドル２０の後端面に対し上下方向へスライドさせることで着脱可能とされている。
【００３０】
また図４に示すように前部５の上面には、待機スイッチ１５が配置されている。さらにハンドル２０には、下側からハンドル２０内に押し込み可能なトリガ１７を有するスイッチ１６Ａが収容されている。加えてハンドル２０には、ロックオンボタン２１が、ハンドル２０の左右からハンドル２０内に押し込み可能に配置されている。ロックオンボタン２１は円柱状とされている。本実施形態では、トリガ１７をハンドル２０内に押し込んでスイッチ１６Ａをオン状態にする押込位置に移動させた後に、ロックオンボタン２１をハンドル２０内に押し込むと、トリガ１７をハンドル２０内に押し込んだ状態（ロックオン状態）を維持できる。そしてハンドル２０の外面には、ハンドル２０の前後方向（図４の左右方向）で所定長さに亘り滑り止め部１０が形成されている。
【００３１】
次に本実施形態の充電式ジグソー１Ａの動作を説明する。この充電式ジグソー１Ａでは待機スイッチ１５を、操作者が右手でハンドル２０の滑り止め部１０を把持しながら右手の親指が届く範囲で前部５の上面に配置した。操作者が右手でハンドル２０の滑り止め部１０を把持しながら右手の親指で待機スイッチ１５の押圧片を一度押圧操作すると、待機状態になってＬＥＤ９が発光する。この状態で操作者が、滑り止め部１０を把持しながら右手の人差し指でトリガ１７をハンドル２０内に押し込んだ後に、前記押込位置でロックオンボタン２１を左手でハンドル２０内に押し込む。その結果、ロックオン状態が維持される。このときトリガ１７から人差し指を離してもスイッチ１６Ａはオン状態に保たれて、実施形態１と同様にモータＭの駆動を維持できる。なお、ハンドル部２０及び前部５の上面で待機スイッチ１５を配置した領域は、本発明の把持領域の一例である。また、トリガ１７を有するスイッチ１６Ａ及びロックオンボタン２１は本発明のロックオンスイッチの一例である。
【００３２】
一方、操作者が左手で滑り止め部１０を把持して充電式ジグソー１Ａを操作する場合にも、操作者は、左手の親指で待機スイッチ１５の押圧片の押圧操作が可能となる。これに加えて操作者は、左手で滑り止め部１０を把持しながら左手の人差し指でトリガ１７をハンドル２０内に押し込んで、前記押込位置でロックオンボタン２１を右手でハンドル２０内に押し込むことが可能になる。
【００３３】
加えて本実施形態では、バッテリーパック６がハウジング２Ａの後端面及びハンドル２０の後端面から取り外されると、待機スイッチ１５はオフ状態になる。したがって、バッテリーパック６を、一旦前記両後端面から取り外した後に再度前記後端面に取り付けたときは、例えロックオン状態が維持されていても、誤ってモータＭを駆動させることがない。
【００３４】
＜実施形態２の効果＞
本実施形態のジグソー１Ａでは、待機スイッチ１５の押圧片を一度押圧操作して待機状態に設定した後に、スイッチ１６Ａをオン状態にする押込位置でトリガ１７をハンドル２０内に押し込んだ状態が維持できることで、待機状態からモータＭの駆動を維持する状態に移行できる。よって、モータＭの駆動を維持するためにトリガ１７をハンドル２０内に押し込む操作を継続する必要がなく、モータＭの駆動を維持するための操作者の負担を軽減できる。これに伴って、ブレード３で被切断材Ｗを切断する作業がし易くなる。
【００３５】
本発明は、上述した実施形態に限定されるものではなく、発明の趣旨を逸脱しない範囲内において構成の一部を適宜変更して実施できる。例えば上述した実施形態１とは異なり、前部５の左右の両側面におけるロッドの延長線上よりも前方位置に、待機スイッチ１５とロックオンスイッチ１６とを上下二段に配置してもよい。また実施形態１とは異なり、前部５の前後方向で左右の両側面に、待機スイッチ１５とロックオンスイッチ１６とを並設させてもよい。
【００３６】
さらに実施形態１とは異なり、前部５の左側面又は右側面のいずれか一方に、待機スイッチ１５とロックオンスイッチ１６とを、上下二段に配置あるいは前部５の前後方向で並設してもよい。この場合には、前部５の左側面から背面にかけての領域又は前部５の右側面から背面にかけての領域のいずれか一方に、滑り止め部１０を形成してもよい。なお、前記いずれか一方の領域は本発明の把持領域の一例である。加えて上述した実施形態２とは異なり、前部５の上面に待機スイッチ１５を配置することや、ハンドル２０に、トリガ１７を有するスイッチ１６Ａやロックオンボタン２１を設けることに代えて、実施形態１と同様に、前部５の左側面又は右側面の少なくともいずれか一方に、待機スイッチ１５とロックオンスイッチ１６とを、上下二段に配置してもよい。また、前記少なくともいずれか一方に、待機スイッチ１５とロックオンスイッチ１６とを、前部５の前後方向で並設してもよい。
【００３７】
さらに加えて上述した実施形態１及び２では、本発明を充電式ジグソーに適用する例を示したが、これに限らず本発明を、充電式レシプロソーや充電式ハンマドリル等の充電式電動工具に適用してもよい。
【符号の説明】
【００３８】
１、１Ａ・・充電式ジグソー、２、２Ａ・・ハウジング、３・・ブレード、５・・前部、６・・バッテリーパック、７・・制御装置、９・・ＬＥＤ、１０・・滑り止め部、１５・・待機スイッチ、１６・・ロックオンスイッチ、１６Ａ・・スイッチ、１７・・トリガ、２０・・ハンドル、２１・・ロックオンボタン、Ｍ・・モータ。
【図１】
0005854914.tif 000002
【図２】
0005854914.tif 000003
【図３】
0005854914.tif 000004
【図４】
0005854914.tif 000005